(57)【要約】【課題】風呂蓋のエッジプロテクタと浴槽のフランジ部との間に隙間が形成されて保温性能が低下するのを防止する浴槽装置を提供する。【解決手段】浴槽１の上部周縁に形成されるフランジ部１０に載置される風呂蓋２を備えた浴槽装置である。風呂蓋２の蓋本体２１の全周縁部に弾性を有するエッジプロテクタ２２を取付けて、蓋本体２１の周縁部の下端よりもエッジプロテクタ２２の下端を下方に位置させる。フランジ部１０上面の風呂蓋２の全周縁部が載置される部分に上方に凹となる水溜め凹部３を形成する。水溜め凹部３に水Ｗを溜めて風呂蓋２をフランジ部１０に載置した時に、エッジプロテクタ２２とフランジ部１０との間に水溜め凹部３の水Ｗを介在させてシールする。【選択図】        図１
2010142609.tif 000002
【特許請求の範囲】
【請求項１】
浴槽の上部周縁に形成されるフランジ部に載置される風呂蓋を備えた浴槽装置であって、風呂蓋の蓋本体の全周縁部に弾性を有するエッジプロテクタを取付けて、蓋本体の周縁部の下端よりもエッジプロテクタの下端を下方に位置させ、フランジ部上面の風呂蓋の全周縁部が載置される部分に上方に凹となる水溜め凹部を形成し、水溜め凹部に水を溜めて風呂蓋をフランジ部に載置した時に、エッジプロテクタとフランジ部との間に水溜め凹部の水を介在させてシールすることを特徴とする浴槽装置。
【発明の詳細な説明】
【技術分野】
【０００１】
本発明は、浴槽の保温性能を向上させることができる浴槽装置に関するものである。
【背景技術】
【０００２】
従来より、蓋本体の全周縁部に弾性を有するエッジプロテクタを取付けた風呂蓋が用いられている（例えば特許文献１、特許文献２、特許文献３参照）。
【０００３】
図３に示すように、風呂蓋２を、浴槽１の上部周縁に形成されるフランジ部１０に載置すると、フランジ部１０の周囲に亘ってエッジプロテクタ２２が載置されるが、経年劣化によりエッジプロテクタ２２が変形してくると、エッジプロテクタ２２とフランジ部１０とを完全に密着させることは難しく、エッジプロテクタ２２とフランジ部１０との間に部分的に隙間Ｓが形成されてしまい、保温性能が低いものであった。
【特許文献１】特開平８−１０３３８９号公報
【特許文献２】特開平１１−３２９３０号公報
【特許文献３】特開２００３−１９００３３号公報
【発明の開示】
【発明が解決しようとする課題】
【０００４】
本発明は上記従来の問題点に鑑みて発明したものであって、その目的とするところは、経年劣化によりエッジプロテクタが変形しても、風呂蓋のエッジプロテクタと浴槽のフランジ部との間に隙間が形成されて保温性能が低下するのを防止する浴槽装置を提供することを課題とするものである。
【課題を解決するための手段】
【０００５】
上記課題を解決するために本発明に係る発明は、浴槽１の上部周縁に形成されるフランジ部１０に載置される風呂蓋２を備えた浴槽装置であって、風呂蓋２の蓋本体２１の全周縁部に弾性を有するエッジプロテクタ２２を取付けて、蓋本体２１の周縁部の下端よりもエッジプロテクタ２２の下端を下方に位置させ、フランジ部１０上面の風呂蓋２の全周縁部が載置される部分に上方に凹となる水溜め凹部３を形成し、水溜め凹部３に水Ｗを溜めて風呂蓋２をフランジ部１０に載置した時に、エッジプロテクタ２２とフランジ部１０との間に水溜め凹部３の水Ｗを介在させてシールすることを特徴とするものである。
【発明の効果】
【０００６】
本発明では、エッジプロテクタとフランジ部との間に水溜め凹部の水を介在させてシールすることができて、経年劣化によりエッジプロテクタが変形してエッジプロテクタとフランジ部との間に隙間が形成されて、保温性能が低下するのを防止することができる。
【発明を実施するための最良の形態】
【０００７】
以下、本発明の一実施形態について図１に基いて説明する。本発明は、浴槽１と風呂蓋２と、を備えた浴槽装置である。
【０００８】
浴槽１は、上部周縁にフランジ部１０が形成されるものであればよいが、本実施形態では、保温性能を向上させるために、断熱材を設けた断熱浴槽を用いている。
【０００９】
浴槽１は、上方に開口した平面視略楕円形の椀状に形成されていて、その上部周縁にフランジ部１０が連設されるもので、ＦＲＰ又はアクリル系樹脂で形成するのが好ましい。
【００１０】
浴槽１の周壁部１１の外面及び底壁部の下面からなる浴槽１の外面は、図示しないが、発泡ポリスチレン、発泡ポリウレタン、発泡フェノール等の合成樹脂発泡体からなる断熱材、あるいは、グラスウール等の内部に空気泡や空気層を備えた断熱材、等の断熱材にて覆われて、外部への放熱が抑えられている。断熱材は、内面が浴槽１の外面と略同大同形に形成された上方に開口する椀状の部材であって、その内側に浴槽１の略全体を収納している。
【００１１】
また図示しないが、断熱材の内面と浴槽１の外面にシリコン系充填材等からなるシール材を設けることで、断熱材と浴槽１との間に形成される隙間から水が侵入するのが防止される。
【００１２】
風呂蓋２は、周縁部が浴槽１のフランジ部１０に載置されるもので、平面視において風呂蓋２の周端縁がフランジ部１０の幅内に位置している。この風呂蓋２は、前記形状をした板状の蓋本体２１と、蓋本体２１の全周縁部に取付けられるエッジプロテクタ２２とからなる。蓋本体２１の内部に上述した断熱材や真空断熱材を設け、保温性能の更なる向上を図ってもよい。エッジプロテクタ２２は弾性を有し、風呂蓋２を立て掛ける際に風呂蓋２のエッジが損傷するのを防止するもので、例えばオレフィン系エラストマーが好適に用いられるが、特に限定されない。風呂蓋２は、蓋本体２１を水平にした時に、蓋本体２１の周縁部の下端よりもエッジプロテクタ２２の下端が下方に位置している。なお、風呂蓋２は上下対称に形成してあり、上下逆にした場合でもエッジプロテクタ２２の下端は蓋本体２１の下端よりも下方に位置している。
【００１３】
またフランジ部１０上面には、風呂蓋２の全周縁部が載置される部分に、上方に凹となる水溜め凹部３が形成してあり、水Ｗを水溜め凹部３に溜めることができる。なお、水溜め凹部３に溜める水Ｗは、浴水（湯）や、カランやシャワーから吐出される水や、カランやシャワーから吐出される湯等、特に限定されない。
【００１４】
上記のような浴槽１のフランジ部１０に風呂蓋２を載置すると、風呂蓋２のエッジプロテクタ２２が平面視において水溜め凹部３に位置し、エッジプロテクタ２２の下端が水溜め凹部３に溜まっている水Ｗ中に浸かる。
【００１５】
これにより、エッジプロテクタ２２とフランジ部１０の水溜め凹部３との間に水Ｗを介在させてシールすることができ、経年劣化によりエッジプロテクタ２２が変形してエッジプロテクタ２２とフランジ部１０との間に隙間Ｓ（図３参照）が形成されて保温性能が低下するのを防止することが可能となる。
【００１６】
次に、他の実施形態について図２に基いて説明するが、図１に示す上記実施形態と同じ構成については同符号を付して説明を省略する。
【００１７】
本実施形態では、水溜め凹部３に溜まっている水Ｗを浴槽１中に排水することが可能となっている。フランジ部１０の水溜め凹部３の底部に相当する部分に排水穴３１を貫通形成し、排水穴３１の周縁から下方に突出する筒状部を連設する。排水穴３１は、通常はゴム等からなる栓３２により閉塞されている。なお排水穴３１は、水溜め凹部３の全部又は一部に形成される。
【００１８】
また、周壁部１１の一部に流入穴１２を貫通形成し、流入穴１２の内周縁に、環状をして断面が外方に開口するコ字状をした縁部材１３を被嵌する。縁部材１３には浴槽１外側の面から外方に突出する筒状部が連設してあり、該筒状部と排水穴３１から連設される筒状部とにゴムチューブ等からなる排水管４の両端を被嵌する。
【００１９】
以上のような構成により、栓３２を取り外すことで、水溜め凹部３に溜まっている水Ｗを水溜め凹部３から排水し、浴槽１の排水口を介して排水することができる。
【図面の簡単な説明】
【００２０】
【図１】本発明の一実施形態の要部断面図である。
【図２】他の実施形態の浴槽の要部断面図である。
【図３】従来例の要部断面図である。
【符号の説明】
【００２１】
１    浴槽
１０  フランジ部
１１  周壁部
２    風呂蓋
２１  蓋本体
２２  エッジプロテクタ
３    水溜め凹部
Ｗ    水
【図１】
2010142609.tif 000003
【図２】
2010142609.tif 000004
【図３】
2010142609.tif 000005